【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
ガスタービンエンジンエーロフォイル区域を接合してエーロフォイルを形成するための方法であって、
スタブエーロフォイルの圧迫側および吸込み側を有するスタブエーロフォイル区域を圧迫側スタブ電極と吸込み側スタブ電極との間に配置するステップと、
上方エーロフォイルの圧迫側および吸込み側を有する上方エーロフォイル区域を圧迫側上方エーロフォイル電極と吸込み側上方エーロフォイル電極との間に配置するステップと、
前記上方エーロフォイル区域を、前記スタブエーロフォイル区域に位置合わせするステップであって、前記上方エーロフォイル区域および前記スタブエーロフォイル区域のそれぞれの上方エーロフォイル遠位端およびスタブエーロフォイル遠位端で離隔された上方エーロフォイル横断面およびスタブエーロフォイル横断面を位置合わせするステップを含み、前記スタブエーロフォイル横断面および前記上方エーロフォイル横断面がスタブ電極および上方電極からそれぞれ離隔される、位置合わせするステップと、
前記上方エーロフォイル横断面および前記スタブエーロフォイル横断面を一体に加圧するステップと、
前記上方エーロフォイル横断面および前記スタブエーロフォイル横断面を一体に加圧しながら、前記上方エーロフォイル横断面および前記スタブエーロフォイル横断面に亘って電流を通すことにより、前記上方エーロフォイル区域および前記スタブエーロフォイル区域を、前記上方エーロフォイル横断面および前記スタブエーロフォイル横断面に沿って一体に固相抵抗溶接するステップであって、該固相抵抗溶接の間に前記電極に電流を加えることを含む、固相抵抗溶接するステップと
を含む方法。
【請求項２】
前記スタブエーロフォイル区域を前記圧迫側スタブ電極と前記吸込み側スタブ電極との間に配置するステップの前に、前記スタブエーロフォイル遠位端の周りに銅製編組物を巻くステップ、および前記上方エーロフォイル区域を前記圧迫側上方エーロフォイル電極と前記吸込み側上方エーロフォイル電極との間に配置するステップの前に、前記上方エーロフォイル遠位端の周りに銅製編組物を巻くステップをさらに含む、請求項１記載の方法。
【請求項３】
前記位置合わせするステップの前に、前記スタブエーロフォイル区域を前記圧迫側スタブ電極と前記吸込み側スタブ電極との間に配置するとき、前記スタブエーロフォイル区域のスタブエーロフォイル部分が前記圧迫側スタブ電極および前記吸込み側スタブ電極から突出している状態のままにするステップ、ならびに前記位置合わせするステップの前に、前記上方エーロフォイル区域を前記圧迫側上方エーロフォイル電極と前記吸込み側上方エーロフォイル電極との間に配置するとき、前記上方エーロフォイル区域の上方エーロフォイル部分が前記圧迫側上方エーロフォイル電極および前記吸込み側上方エーロフォイル電極から突出している状態のままにするステップをさらに含む、請求項１記載の方法。
【請求項４】
前記スタブエーロフォイル区域を前記圧迫側スタブ電極と前記吸込み側スタブ電極との間に配置するステップの前に、少なくとも前記スタブエーロフォイル部分まで、前記スタブエーロフォイル部分は含まず、前記スタブエーロフォイル遠位端の周りに銅製編組物を巻くステップ、および前記上方エーロフォイル区域を前記圧迫側上方エーロフォイル電極と前記吸込み側上方エーロフォイル電極との間に配置するステップの前に、少なくとも前記上方エーロフォイル部分まで、前記上方エーロフォイル部分は含まず、前記上方エーロフォイル遠位端の周りに銅製編組物を巻くステップをさらに含む、請求項３記載の方法。
【請求項５】
前記圧迫側スタブ電極内および前記吸込み側スタブ電極にそれぞれ挿入される、銅製圧迫側エーロフォイル順応電極挿入体および吸込み側エーロフォイル順応電極挿入体の一次セットを使用するステップと、
前記圧迫側上方エーロフォイル電極および前記吸込み側上方エーロフォイル電極にそれぞれ挿入される、銅製の圧迫側エーロフォイル順応電極挿入体および吸込み側エーロフォイル順応電極挿入体の二次セットを使用するステップと、
前記圧迫側エーロフォイル順応電極挿入体および吸込み側エーロフォイル順応電極挿入体の前記一次および前記二次セットが、それぞれ前記上方エーロフォイル遠位端および前記スタブエーロフォイル遠位端のエーロフォイル形状に一致するステップと、
前記圧迫側エーロフォイル順応電極挿入体および吸込み側エーロフォイル順応電極挿入体の前記一次および二次セットが、少なくとも前記上方エーロフォイル部分まで、前記上方エーロフォイル部分は含まず延在し、前記圧迫側エーロフォイル順応電極挿入体および吸込み側エーロフォイル順応電極挿入体の前記二次セットが、少なくとも前記スタブエーロフォイル部分まで、前記スタブエーロフォイル部分は含まず延在するステップと
を含む、請求項１記載の方法。
【請求項６】
前記位置合わせするステップの前に、前記スタブエーロフォイル区域を前記圧迫側スタブ電極と前記吸込み側スタブ電極との間に配置するとき、前記スタブエーロフォイル区域のスタブエーロフォイル部分が前記圧迫側スタブ電極および前記吸込み側スタブ電極から突出している状態のままにするステップ、ならびに前記位置合わせするステップの前に、前記上方エーロフォイル区域を前記圧迫側上方エーロフォイル電極と前記吸込み側上方エーロフォイル電極との間に配置するとき、前記上方エーロフォイル区域の上方エーロフォイル部分が前記圧迫側上方エーロフォイル電極および前記吸込み側上方エーロフォイル電極から突出している状態のままにするステップをさらに含む、請求項１記載の方法。
【請求項７】
前記スタブエーロフォイル区域を前記圧迫側スタブ電極と前記吸込み側スタブ電極との間に配置するステップの後に、前記固相抵抗溶接の前に、ねじれを有するエーロフォイルのために、前記上方エーロフォイル横断面および前記スタブエーロフォイル横断面の前縁と後縁との間のオフセットを縮小し、除去するために、前記スタブエーロフォイル部分および前記上方エーロフォイル部分を同時に圧印するステップをさらに含む、請求項６記載の方法。
【請求項８】
前記スタブエーロフォイル部分および前記上方エーロフォイル部分を圧迫側圧印型と吸込み側圧印型との間に加圧するステップを含む前記圧印するステップをさらに含む、請求項７記載の方法。
【請求項９】
前記スタブエーロフォイル区域を前記圧迫側スタブ電極と前記吸込み側スタブ電極との間に配置するステップの前に、少なくとも前記スタブエーロフォイル部分まで、前記スタブエーロフォイル部分は含まず、前記スタブエーロフォイル遠位端の周りに銅製編組物を巻くステップ、および前記上方エーロフォイル区域を前記圧迫側上方エーロフォイル電極と前記吸込み側上方エーロフォイル電極との間に配置するステップの前に、少なくとも前記上方エーロフォイル部分まで、前記上方エーロフォイル部分は含まず、前記上方エーロフォイル遠位端の周りに銅製編組物を巻くステップをさらに含む、請求項６記載の方法。
【請求項１０】
前記スタブエーロフォイル区域がエーロフォイル担体から外側に延在するステップ、および前記方法が、前記スタブエーロフォイル区域が前記エーロフォイル担体に取り付けられる間に、実施されるステップをさらに含む、請求項１記載の方法。
【請求項１１】
損傷したエーロフォイルから損傷したエーロフォイル区域を切り取るステップによって、前記損傷したエーロフォイルから、スタブエーロフォイルの圧迫側および吸込み側を有するスタブエーロフォイル区域を形成するステップと、
前記スタブエーロフォイルの圧迫側および吸込み側を有する前記スタブエーロフォイル区域を圧迫側スタブ電極と吸込み側スタブ電極との間に配置するステップと、
上方エーロフォイルの圧迫側および吸込み側を有する上方エーロフォイル区域を圧迫側上方エーロフォイル電極と吸込み側上方エーロフォイル電極との間に配置するステップと、
前記上方エーロフォイル区域を、スタブエーロフォイルの圧迫側および吸込み側を有する前記スタブエーロフォイル区域に位置合わせするステップであって、前記スタブエーロフォイル区域がエーロフォイル担体から外側に延在する、位置合わせするステップにおいて、前記上方エーロフォイル区域および前記スタブエーロフォイル区域のそれぞれの上方エーロフォイル遠位端およびスタブエーロフォイル遠位端で、上方エーロフォイル横断面およびスタブエーロフォイル横断面を位置合わせするステップを含む、位置合わせするステップと、
前記上方エーロフォイル横断面および前記スタブエーロフォイル横断面を一体に加圧するステップと、
前記上方エーロフォイル横断面および前記スタブエーロフォイル横断面を一体に加圧しながら、前記上方エーロフォイル横断面および前記スタブエーロフォイル横断面に亘って電流を通すことにより、前記上方エーロフォイル区域および前記スタブエーロフォイル区域を、前記上方エーロフォイル横断面および前記スタブエーロフォイル横断面に沿って一体に固相抵抗溶接するステップであって、該固相抵抗溶接の間に前記電極に電流を加えることを含む、固相抵抗溶接するステップと
を含む、損傷したエーロフォイルを修理するための方法。
【請求項１２】
スタブエーロフォイル区域を前記圧迫側スタブ電極と前記吸込み側スタブ電極との間に配置するステップ、および上方エーロフォイル区域を前記圧迫側上方エーロフォイル電極と前記吸込み側上方エーロフォイル電極との間に配置するステップと、
上方エーロフォイルの圧迫側および吸込み側を有する前記上方エーロフォイル区域を、スタブエーロフォイルの圧迫側および吸込み側を有する前記スタブエーロフォイル区域に位置合わせするステップであって、前記上方エーロフォイル区域および前記スタブエーロフォイル区域のそれぞれの上方エーロフォイル遠位端およびスタブエーロフォイル遠位端で、上方エーロフォイル横断面およびスタブエーロフォイル横断面を位置合わせするステップを含む、位置合わせするステップと、
前記上方エーロフォイル横断面および前記スタブエーロフォイル横断面を一体に加圧するステップと、
前記上方エーロフォイル区域を前記圧迫側上方エーロフォイル電極と前記吸込み側上方エーロフォイル電極との間に締め付けるステップと、
前記スタブエーロフォイル区域を前記圧迫側スタブ電極と前記吸込み側スタブ電極との間に締め付けるステップと、
前記上方エーロフォイル横断面および前記スタブエーロフォイル横断面を一体に加圧しながら、かつ前記上方エーロフォイル区域を、前記圧迫側上方エーロフォイル電極と前記吸込み側上方エーロフォイル電極との間に締め付け、前記スタブエーロフォイル区域を前記圧迫側スタブ電極と前記吸込み側スタブ電極との間に締め付けると同時に、前記電極に電流を加え、および前記上方エーロフォイル横断面および前記スタブエーロフォイル横断面に亘って電流を通すことにより、前記上方エーロフォイル区域および前記スタブエーロフォイル区域を、前記上方エーロフォイル横断面および前記スタブエーロフォイル横断面に沿って一体に固相抵抗溶接するステップと
を含む、エーロフォイルを形成するためにガスタービンエンジンエーロフォイル区域を接合する方法。